(57)【特許請求の範囲】
【請求項１】
遊技機が設置される遊技島台内に設置され、該遊技島台内に貯留される遊技媒体の表面を清浄する清浄部材が上面に敷設された揺動板を揺動手段により水平方向に揺動させることにより、前記揺動板上に形成される遊技媒体清浄領域内の前記遊技媒体と前記清浄部材とが摺接して前記遊技媒体が清浄されるとともに、該遊技媒体が前記遊技媒体清浄領域の外周部に設けられる遊技媒体流出部から流出するように構成される遊技媒体清浄装置であって、
前記遊技島台内に貯留される前記遊技媒体を、前記遊技媒体清浄領域内における略中央部に流入するように案内する遊技媒体案内路と、
前記遊技島台内に設置され、前記揺動板が揺動自在に設けられる基体と、
前記基体に対して外方に引き出し自在に収納される収納ユニットと、
を備え、
前記収納ユニットは、前記清浄部材を前記揺動板の上面よりも上方の所定高さ位置に張設した状態で保持するための張設保持手段を有し、
前記収納ユニットを前記基体から外方に引き出して前記清浄部材を前記張設保持手段により張設した状態で保持させた後、該収納ユニットを前記基体に押し込んで収納することで、前記張設保持手段により張設保持された清浄部材が前記揺動板上に敷設されることを特徴とする遊技媒体清浄装置。
【請求項２】
遊技機が設置される遊技島台であって、
該遊技島台内に貯留される遊技媒体の表面を清浄する清浄部材が上面に敷設された揺動板を揺動手段により水平方向に揺動させることにより、前記揺動板上に形成される遊技媒体清浄領域内の前記遊技媒体と前記清浄部材とが摺接して前記遊技媒体が清浄されるとともに、該遊技媒体が前記遊技媒体清浄領域の外周部に設けられる遊技媒体流出部から流出するように構成されている遊技媒体清浄装置と、
前記遊技島台内に貯留される前記遊技媒体を、前記遊技媒体清浄領域における略中央部に排出するように案内する遊技媒体案内路と、
前記遊技媒体流出部から流出する前記遊技媒体を、前記遊技機に補給する遊技媒体補給路と、を少なくとも備え、
前記遊技媒体清浄装置は、
前記遊技島台内に設置され、前記揺動板が揺動自在に設けられる基体と、
前記基体に対して外方に引き出し自在に収納される収納ユニットと、
を備え、
前記収納ユニットは、前記清浄部材を前記揺動板の上面よりも上方の所定高さ位置に張設した状態で保持するための張設保持手段を有し、
前記収納ユニットを前記基体から外方に引き出して前記清浄部材を前記張設保持手段により張設した状態で保持させた後、該収納ユニットを前記基体に押し込んで収納することで、前記張設保持手段により張設保持された清浄部材が前記揺動板上に敷設されることを特徴とする遊技島台。
【請求項３】
前記遊技媒体清浄領域は、前記揺動板の揺動に追従しないように設けられるガイド部材により構成されており、該ガイド部材におけるガイド辺は少なくとも、略円弧状の第１ガイド辺と、該第１ガイド辺から前記遊技媒体流出部に向けて延設される略直線状の第２ガイド辺と、から形成されている請求項１または２に記載の遊技媒体清浄装置または遊技島台。
【請求項４】
前記揺動手段が駆動モータからなり、該駆動モータの駆動軸には、該駆動軸に対して偏心する偏心軸部材が固着されており、該偏心軸部材に対して前記揺動板が回動自在に枢着されている請求項１〜３のいずれかに記載の遊技媒体清浄装置または遊技島台。
【請求項５】
前記遊技媒体清浄領域内の前記遊技媒体を前記清浄部材に向けて付勢する付勢部材を備える請求項１〜４のいずれかに記載の遊技媒体清浄装置または遊技島台。
【請求項６】
前記遊技媒体清浄装置は、前記揺動板上に新規な清浄部材を引き出す引出し手段を備えるとともに、前記遊技媒体の前記揺動板上からの落下を防止する落下防止部材が、前記揺動板の揺動に追従しないように設けられている請求項１〜５のいずれかに記載の遊技媒体清浄装置または遊技島台。
【請求項７】
前記遊技媒体清浄装置は、新規な清浄部材を補給する補給部を備えており、前記張設保持手段は、前記引出し手段により前記補給部から前記揺動板上に引き出された新規な清浄部材を張設保持する請求項６に記載の遊技媒体清浄装置または遊技島台。
【請求項８】
前記引出し手段が、前記清浄部材をロール状に巻取る巻取り装置であり、前記遊技媒体清浄装置は、前記補給部内に補給される前記清浄部材が交換された旨を検出する交換検出手段と、該交換検出手段による前記清浄部材の交換が検出されてからの前記巻取り装置による前記清浄部材の巻取り動作量に応じて前記巻取り装置の駆動量を制御する制御手段と、を備える請求項７に記載の遊技媒体清浄装置または遊技島台。
【請求項９】
前記付勢部材には、前記遊技媒体案内路からの遊技媒体を該付勢部材の下面側に通過させる開口部が形成され、前記付勢部材と前記遊技媒体案内路とは、前記基体に対して取り外し自在に設けられた枠体を介して互いに一体的に設けられている請求項５〜８のいずれかに記載の遊技媒体清浄装置。
【請求項１０】
前記枠体は、前記基体の上部に設けられる下部フレームと、該下部フレームに対して一側辺を中心に回動自在に枢着された上部フレームと、からなり、前記下部フレームには、前記遊技媒体清浄領域を形成するガイド部材が前記揺動板の揺動に追従しないように設けられ、前記上部フレームには、前記遊技媒体案内路及び前記付勢部材が設けられている請求項９に記載の遊技媒体清浄装置。
【発明の詳細な説明】
【０００１】
【発明の属する技術分野】
本発明は、遊技機にて遊技を行う際に使用される遊技媒体の表面を清浄する遊技媒体清浄装置及び遊技媒体清浄装置を備える遊技島台に関する。
【０００２】
【従来の技術】
従来、遊技媒体としてのパチンコ玉の表面を清浄する遊技媒体清浄装置として、例えば特開平１０−１５６０２９号公報に開示された装置等がある。この装置は、上面に清浄部材が敷設された揺動板が水平揺動することにより、前記清浄部材上に載置されるパチンコ玉が清浄部材に摺接されて、その表面に付着された汚れやゴミ等が拭い取られるように構成されている。
【０００３】
上記公報に記載の清浄装置における揺動板周縁には、揺動板上からのパチンコ玉の落下を防止する壁部が立設されているとともに、その壁部の一部には、揺動板上のパチンコ玉が流出する流出部としての切欠部が形成されており、揺動板の揺動により清浄されたパチンコ玉が前記切欠部を介して流出されるようになっている。
【０００４】
【発明が解決しようとする課題】
しかしながら、前記清浄装置にあっては、前記切欠部に対向する側の壁部近傍に遊技媒体が流入するようになっているため、揺動板上に流入した遊技媒体は、揺動板の偏心回動による遠心作用により、そのまま前記壁部に沿うように移動して、短時間のうちに切欠部から流出してしまうことが多かった。よって、十分に清浄されないまま流出してしまい、清浄にむらが生じるといった問題があった。
【０００５】
本発明は、このような問題点に着目してなされたもので、遊技媒体を十分に清浄した後に流出させることが出来る遊技媒体清浄装置及び遊技媒体清浄装置を備える遊技島台を提供することを目的とする。
【０００６】
【課題を解決するための手段】
上記課題を解決するために、本発明の遊技媒体清浄装置は、遊技機が設置される遊技島台内に設置され、該遊技島台内に貯留される遊技媒体の表面を清浄する清浄部材が上面に敷設された揺動板を揺動手段により水平方向に揺動させることにより、前記揺動板上に形成される遊技媒体清浄領域内の前記遊技媒体と前記清浄部材とが摺接して前記遊技媒体が清浄されるとともに、該遊技媒体が前記遊技媒体清浄領域の外周部に設けられる遊技媒体流出部から流出するように構成される遊技媒体清浄装置であって、
前記遊技島台内に貯留される前記遊技媒体を、前記遊技媒体清浄領域内における略中央部に流入するように案内する遊技媒体案内路と、
前記遊技島台内に設置され、前記揺動板が揺動自在に設けられる基体と、
前記基体に対して外方に引き出し自在に収納される収納ユニットと、
を備え、
前記収納ユニットは、前記清浄部材を前記揺動板の上面よりも上方の所定高さ位置に張設した状態で保持するための張設保持手段を有し、
前記収納ユニットを前記基体から外方に引き出して前記清浄部材を前記張設保持手段により張設した状態で保持させた後、該収納ユニットを前記基体に押し込んで収納することで、前記張設保持手段により張設保持された清浄部材が前記揺動板上に敷設されることを特徴としている。
この特徴によれば、遊技媒体案内路により案内されて揺動板上に形成される遊技媒体清浄領域内における略中央部に流入した遊技媒体は、揺動板が水平方向に揺動することにより自転して清浄部材に摺接されながら、遊技媒体清浄領域内を渦巻くように外方に移動しながら周回した後に遊技媒体流出部から流出するため、限られた遊技媒体清浄領域内において遊技媒体が十分に清浄されることになり、遊技媒体の清浄効果が著しく高まる。また、遊技島台内に装置を設置した際、装置全体を移動することなく、収納ユニットのみを外方に引出した状態で清浄部材の交換作業等を行えるため、作業性が向上する。
【０００７】
本発明の遊技島台は、遊技機が設置される遊技島台であって、
該遊技島台内に貯留される遊技媒体の表面を清浄する清浄部材が上面に敷設された揺動板を揺動手段により水平方向に揺動させることにより、前記揺動板上に形成される遊技媒体清浄領域内の前記遊技媒体と前記清浄部材とが摺接して前記遊技媒体が清浄されるとともに、該遊技媒体が前記遊技媒体清浄領域の外周部に設けられる遊技媒体流出部から流出するように構成されている遊技媒体清浄装置と、
前記遊技島台内に貯留される前記遊技媒体を、前記遊技媒体清浄領域における略中央部に排出するように案内する遊技媒体案内路と、
前記遊技媒体流出部から流出する前記遊技媒体を、前記遊技機に補給する遊技媒体補給路と、を少なくとも備え、
前記遊技媒体清浄装置は、
前記遊技島台内に設置され、前記揺動板が揺動自在に設けられる基体と、
前記基体に対して外方に引き出し自在に収納される収納ユニットと、
を備え、
前記収納ユニットは、前記清浄部材を前記揺動板の上面よりも上方の所定高さ位置に張設した状態で保持するための張設保持手段を有し、
前記収納ユニットを前記基体から外方に引き出して前記清浄部材を前記張設保持手段により張設した状態で保持させた後、該収納ユニットを前記基体に押し込んで収納することで、前記張設保持手段により張設保持された清浄部材が前記揺動板上に敷設されることを特徴としている。
この特徴によれば、遊技媒体案内路により案内されて揺動板上に形成される遊技媒体清浄領域内における略中央部に排出された遊技媒体は、揺動板が水平方向に揺動することにより自転して清浄部材に摺接されながら、遊技媒体清浄領域内を渦巻くように外方に移動しながら周回した後に遊技媒体流出部から流出し、遊技媒体補給路により遊技機に補給されるため、限られた遊技媒体清浄領域内において遊技媒体が十分に清浄されることになり、遊技媒体の清浄効果が著しく高まる。また、遊技島台内に装置を設置した際、装置全体を移動することなく、収納ユニットのみを外方に引出した状態で清浄部材の交換作業等を行えるため、作業性が向上する。
【００１０】
本発明の遊技媒体清浄装置または遊技島台は、前記遊技媒体清浄領域は、前記揺動板の揺動に追従しないように設けられるガイド部材により構成されており、該ガイド部材におけるガイド辺は少なくとも、略円弧状の第１ガイド辺と、該第１ガイド辺から前記遊技媒体流出部に向けて延設される略直線状の第２ガイド辺と、から形成されていることが好ましい。
このようにすれば、遊技媒体清浄領域内の遊技媒体は、第１ガイド部により案内されてスムーズに周回するようになるとともに、第１ガイド部材の近傍まで移動してきた遊技媒体は、第１ガイド部材に沿うように移動したまま第２ガイド部に案内されて遊技媒体流出部から流出するようになるため、遊技媒体清浄領域内を必要以上に周回し続けることがない。
【００１１】
本発明の遊技媒体清浄装置または遊技島台は、前記揺動手段が駆動モータからなり、該駆動モータの駆動軸には、該駆動軸に対して偏心する偏心軸部材が固着されており、該偏心軸部材に対して前記揺動板が回動自在に枢着されていることが好ましい。
このようにすれば、揺動板を簡単な構造で水平方向に揺動させることが出来るばかりか、揺動板を偏心回動により揺動させることで、遊技媒体が複雑に回転することになるため、遊技媒体の表面全域をまんべんなく清浄することが出来る。
【００１３】
本発明の遊技媒体清浄装置または遊技島台は、前記遊技媒体清浄領域内の前記遊技媒体を前記清浄部材に向けて付勢する付勢部材を備えることが好ましい。
このようにすれば、遊技媒体が清浄部材に強く押し付けられるため、清浄効果が向上する。
【００１７】
本発明の遊技媒体清浄装置または遊技島台は、前記遊技媒体清浄装置は、前記揺動板上に新規な清浄部材を引き出す引出し手段を備えるとともに、前記遊技媒体の前記揺動板上からの落下を防止する落下防止部材が、前記揺動板の揺動に追従しないように設けられていることが好ましい。
このようにすれば、落下防止部材が揺動板の揺動に追従して揺動することがないので、揺動板の揺動や清浄部材の引出しにより、敷設された清浄部材が捩れたりめくれるなどして揺動板上面が露出することがないため、落下防止部材近傍に位置する遊技媒体が清浄されなくなることがなく、清浄領域内の遊技媒体を偏りなく清浄出来るばかりか、引出し手段により揺動板上に引出された清浄部材により揺動板の揺動が規制されることがない。
【００１８】
本発明の遊技媒体清浄装置または遊技島台は、前記遊技媒体清浄装置は、新規な清浄部材を補給する補給部を備えており、前記張設保持手段は、前記引出し手段により前記補給部から前記揺動板上に引き出された新規な清浄部材を張設保持することが好ましい。
このようにすれば、引出し手段により揺動板上に引き出された清浄部材に撓みや捩れが生じにくくなるので、清浄作用が向上するばかりか、引出し手段による清浄部材の引出しに支障をきたすことがない。
【００１９】
本発明の遊技媒体清浄装置または遊技島台は、前記引出し手段が、前記清浄部材をロール状に巻取る巻取り装置であり、前記遊技媒体清浄装置は、前記補給部内に補給される前記清浄部材が交換された旨を検出する交換検出手段と、該交換検出手段による前記清浄部材の交換が検出されてからの前記巻取り装置による前記清浄部材の巻取り動作量に応じて前記巻取り装置の駆動量を制御する制御手段と、を備えることが好ましい。
このようにすれば、巻取り装置による清浄部材の巻取り量に関わらず、清浄部材を常に一定量づつ引き出すことが出来る。
【００２０】
本発明の遊技媒体清浄装置は、前記付勢部材には、前記遊技媒体案内路からの遊技媒体を該付勢部材の下面側に通過させる開口部が形成され、前記付勢部材と前記遊技媒体案内路とは、前記基体に対して取り外し自在に設けられた枠体を介して互いに一体的に設けられていることが好ましい。
このようにすれば、清浄部材の交換や装置のメンテナンス等の作業性が効果的に向上する。
本発明の遊技媒体清浄装置は、前記枠体は、前記基体の上部に設けられる下部フレームと、該下部フレームに対して一側辺を中心に回動自在に枢着された上部フレームと、からなり、前記下部フレームには、前記遊技媒体清浄領域を形成するガイド部材が前記揺動板の揺動に追従しないように設けられ、前記上部フレームには、前記遊技媒体案内路及び前記付勢部材が設けられていることが好ましい。
このようにすれば、清浄部材の交換や装置のメンテナンス等の作業性が効果的に向上する。
【００２１】
【発明の実施の形態】
以下、図面に基づいて本発明の実施形態を説明すると、まず図１には、本発明の実施例としての清浄装置が適用された遊技島台１の内部構造を示す断面図が示されており、該遊技島台１は、その前後面に遊技機であるパチンコ機２と、該パチンコ機２において遊技に使用するパチンコ玉の貸出を実施させる玉貸処理機等と、が並設される通常の遊技島台である。
【００２２】
遊技島台１の略中央上部には、遊技媒体であるパチンコ玉が貯留される上部タンク３が設けられており、この上部タンク３内に貯留されたパチンコ玉は、遊技島台１内の長手方向両端部に向かってそれぞれ下方に傾斜するように配設された供給樋４に流入するようになっている。
【００２３】
また、これら供給樋４には、流下するパチンコ玉を各パチンコ機２に供給するための支流樋５が、供給樋４における図中前後側の側板に、流下方向に向かって所定間隔おきに複数配設されており、これら支流樋５に供給されたパチンコ玉は、各パチンコ機２の背面に設けられた玉タンク６に供給されるようになっている。
【００２４】
供給樋４の下流側端部には、例えばメンテナンス時等において供給樋４内のパチンコ玉を後述する下部樋１０内に流出させる玉抜き管７が設けられている。なお、通常時においてはこの玉抜き管７内をパチンコ玉が流下しないようになっている。
【００２５】
また、供給樋４の下方には、上部タンク３内からオーバーフローしたパチンコ玉が流入するオーバーフロー樋１２が供給樋４に沿うように配設されており、各オーバーフロー樋１２内にオーバーフローしたパチンコ玉は、それらの下流側端部から下部樋１０まで延設されるオーバーフロー管（図示略）を流下して下部樋１０内に排出されるようになっている。
【００２６】
遊技島台１内の下部には、パチンコ機２より排出されたアウト玉を一時貯留するアウト玉タンク８が、パチンコ機２を載置する繕板１３の上面に、各パチンコ機２に対応するように複数設けられている。
【００２７】
繕板１３の下方には、パチンコ玉を貯留する下部タンク９、９’がそれぞれ設けられている。下部タンク９、９’内には、図１〜図３に示されるように、玉抜き管７及びオーバーフロー管（図示略）から排出されるパチンコ玉が流入する下部樋１０、１０’が、それぞれ遊技島台１における長手方向中央に向かって下方に傾斜するように配設されている。下部樋１０、１０’内を流下するパチンコ玉は、流下方向に向かって左右側の側板に複数形成された開口１１、及びその底板における下流側端部所定箇所に形成された開口１４（図３参照）を介して、下部タンク９、９’内にパチンコ玉がほぼ均等に貯留されるように排出される。
【００２８】
図１中向かって左側の遊技島台１の島端には、遊技者が獲得したパチンコ玉を計数するための計数装置１５が配設されており、この計数装置１５ａ内に投入されたパチンコ玉は、玉投入口１５ａから連設された排出路１６を介して下部樋１０’に流入し、下部タンク９’内に排出されて貯留されるようになっている。
【００２９】
下部タンク９、９’内における下部樋１０、１０’の流下方向に向かって左右側には、図２、図３に示されるように、各アウト玉タンク８から排出されるパチンコ玉を回収する側部樋１７、１７’が下部樋１０、１０’の両側に並設されている。側部樋１７、１７’の下流側端部は、各下部タンク９、９’における下流側所定箇所に設けられた仕切板２０を介して形成された合流部１８、１８’内まで延設されており、側部樋１７、１７’内に回収されたパチンコ玉は、その底板における下流側端部に形成された開口１９を介して合流部１８、１８’内に排出されるようになっている。
【００３０】
仕切板２０には、特に図３に示されるように、下部タンク９、９’内に貯留されたパチンコ玉を合流部１８、１８’内に排出させるための排出口２１が形成されているとともに、この排出口２１を開閉自在とするシャッタ２２が設けられている。
【００３１】
下部タンク９、９’における下流側端部の側板９ａ所定箇所には連通口２３、２３’が形成されており、合流部１８、１８’内に流入したパチンコ玉は、この連通口２３、２３’を通過して遊技媒体通路の一部を構成する中継樋２４、２４’内に流入し、さらに後述する遊技媒体案内路としての案内樋２８、２８’内に流入するようになっている。
【００３２】
案内樋２８、２８’内に流入したパチンコ玉は、後述する遊技媒体清浄装置としての清浄装置５０内に流入して清浄された後排出樋２６から流出し、遊技島台１内の略中央部に設けられた揚送装置２５を介して揚送され、再び上部タンク３内に貯留される。このようにして遊技島台１内のパチンコ玉は循環するようになっている。
【００３３】
このように、遊技島台１内に配設される排出樋２６、供給樋４、支流樋５、下部樋１０、１０’、オーバーフロー樋１２、側部樋１７、１７’、合流部１８、１８’、中継樋２４、２４’、案内樋２８、２８’等により、パチンコ玉が少なくともパチンコ機２と後述する清浄装置５０とを介して遊技島台１内を循環するように構成されている。
【００３４】
このように構成される遊技島台１内には図示しない制御装置が設けられており、上部タンク３や下部タンク９、９’内におけるパチンコ玉の貯留状況に応じて前述したシャッタ２２の開閉や揚送装置２５の揚送等を制御してパチンコ玉を循環させるようになっている。
【００３５】
例えば、通常時においては排出口２１はシャッタ２２により閉塞されており、側部樋１７、１７’に回収されるパチンコ玉が下部タンク９、９’内に貯留されているパチンコ玉よりも優先して清浄装置５０内に流入して清浄された後に揚送装置２５により揚送されるようになっている。すなわち、パチンコ機２にて遊技に使用されて排出されたパチンコ玉が優先的に清浄されるのである。そして、上部タンク３内におけるパチンコ玉の貯留量が少なくなった場合や、下部タンク９、９’内におけるパチンコ玉の貯留量が所定量を超えた場合等においてシャッタ２２を開放してパチンコ玉を流出させ、上部タンク３内に揚送する。
【００３６】
なお、本実施例における遊技島台１は、上部タンク３や下部タンク９、９’内部に貯留されたパチンコ玉のみを制御により循環して使用するいわゆる独立式の遊技島台であるが、例えば遊技場内に並設される他の遊技島台と上部タンク同士を適宜連結樋等により連結して、他の遊技島台間でパチンコ玉の貯留量の調整を行えるようにしてもよい。また、遊技者が獲得したパチンコ玉を計数する計数装置が各パチンコ機２に対応して設けられ、各遊技島台内においてパチンコ玉を循環使用することが可能に構成されたユニット式の遊技島台であってもよい。
【００３７】
また、図３中２点鎖線で示される符号２７は、例えば後述する清浄装置５０が何らかの理由で故障した場合等において、下部タンク９、９’内のパチンコ玉を清浄装置５０内に流入させることなく揚送装置２５内に連通させるためのバイパス樋である。下部タンク９、９’の側板９ａ及び中継樋２４’の側板の一部には連通口２９ａ、２９ｂがそれぞれ形成されており、このバイパス樋２７を清浄装置５０の上方に配置した際に、連通口２９ａ、２９ｂを介して合流部１８及び中継樋２４’内のパチンコ玉がバイパス樋２７に流入するようになっている。本実施例においては、通常時においてこれら連通口２９ａ、２９ｂは図示しないシャッタにより閉塞されており、上記したように清浄装置５０が故障した場合等に応じてバイパス樋２７が配設され、前記シャッタを開放することにより合流部１８、１８’内のパチンコ玉を清浄装置５０を通過させることなく揚送装置２５に流入させることが出来るようになっている。また、このようにバイパス樋２７を配設可能としておくことで、清浄装置５０が正常に駆動している状態において前記パチンコ玉を前記清浄装置５０を通過させることなく揚送装置２５に流入させて循環させる必要が生じた場合においても対応することが可能となる。
【００３８】
なお、本実施例においては、バイパス樋２７は必要に応じて設けられるようになっていたが、言うまでもなく常設しておいてもよい。さらに、連通口２９ａ、２９ｂに設けられるシャッタは手動により開閉するものであるが、上記シャッタを清浄装置５０の駆動状況に応じて自動的に開閉するように設けてもよい。
【００３９】
図４には、本実施例に適用された揚送装置２５が示されている。揚送装置２５の外形を構成する上下方向に延びる縦長の箱体３０内には、特に図４（ａ）、（ｂ）に示されるように駆動歯車３１が上部に回動自在に設けられているとともに、従動回転体３２が下部に回動自在に設けられており、これら駆動歯車３１と従動回転体３２とには、特に図４（ｃ）に示されるように所定量のパチンコ玉を収容可能なバケット３３が、リベット３６を介して外面に複数取り付けられた無端状のタイミングベルト３４が掛け渡されている。駆動歯車３１、従動回転体３２には、バケット３３をタイミングベルト３４に止めるリベット３６との接触を回避するための環状の溝部Ｍがそれぞれ２箇所ずつ形成されている。
【００４０】
図４（ｃ）に示されるように、タイミングベルト３４の内面は駆動歯車３１の刃部に噛合するように凹凸状に形成されており、箱体３０の上部外方に固設される駆動モータ３５が駆動して駆動歯車３１が回転することにより、その回転力がタイミングベルト３４に伝達されてタイミングベルト３４が図４（ａ）に示されるように回転し、箱体３０の下部に形成されるパチンコ玉の流入口３７から流入するパチンコ玉が回転してきた空のバケット３３内に所定量ずつ収容されて揚送され、箱体３０の上部に形成される排出口３８から（上部タンク３内）に排出される。
【００４１】
従動回転体３２は、箱体３０内下部に昇降自在に設けられた移動体３９の下端に回転自在に設けられており、外方から操作可能に設けられたレバー４０を介して移動体３９を上昇させることによりタイミングベルト３４を取り外し出来るようになっている。
【００４２】
詳しくは、移動体３９は、その所定箇所に固定されたネジ４２が箱体３０所定箇所に形成された上下方向を向く長孔４１内に摺動自在に挿通されていることにより上下方向に移動自在に案内されているとともに、一端が箱体３０内所定箇所に係止された引張りバネ４３の他端が係止されて常時上方に付勢されている。移動体３９の上方には、レバー４０が回転軸４４を中心に回動自在に設けられており、図４（ｂ）に示されるようにレバー４０を上下方向を向く位置に保持した際に、レバー４０の下端に形成されたローラ４５により移動体３９の上端が下方に押圧されて下降して下限位置に保持され、レバー４０を手前側に回動させた際には、ローラ４５による押圧状態が解除されて移動体３９が引張りバネ４３の作用により上昇する。
【００４３】
このように、レバー４０の操作により従動回転体３２を昇降させて箱体３０の側板の一部を取り外すことにより、タイミングベルト３４を容易に取り外すことが出来るように構成されているため、バケット３３の破損やタイミングベルト３４の交換等、種々のメンテナンスを容易に行うことが出来る。また、揚送装置２５の流入口３７には、前述した排出樋２６の下流側端部が接続される。
【００４４】
このように構成される揚送装置２５によって後述する清浄装置５０により清浄されたパチンコ玉を揚送する場合、清浄されたパチンコ玉はバケット３３内に収容された状態で揚送されるので、例えばスクリューコンベア式やスプロケット式等の他の揚送装置のように、揚送されるパチンコ玉が揚送中に他の部材等に接触することがない。よって、清浄されたパチンコ玉を汚すことなく、また、接触により帯電させることなく揚送出来る。
【００４５】
なお、本実施例においては、上記のような理由からこのようなバケット式の揚送装置を遊技島台１に適用しているが、言うまでもなく他の揚送装置を適用してもよい。
【００４６】
次に、図５〜図１８に基づいて、本発明実施例としての遊技媒体清浄装置としての清浄装置５０の構成及び作用を説明する。
【００４７】
まず図５〜図７に示されるように、清浄装置５０の本体を構成する基体５１と、この基体５１の上方に揺動自在に設けられる揺動板５２上に流入するパチンコ玉を清浄する清浄部材としてのシート部材Ｓを収納するための収納ユニット５３と、から主に構成されている。
【００４８】
基体５１は、上面と一側面が開口する箱状に構成されており、互いに対向する側板５４、５４の長手方向両端側上部間には、２本のガイドレール５５、５５が架設されており、このガイドレール５５、５５上には、後述する枠体５６が載置されているとともに、この枠体５６の上方には前述した案内樋２８、２８’が設けられている。また、一方の側板５４の上端部には、前述した排出樋２６が固着されている。
【００４９】
基体５１の内部には、前記収納ユニット５３が、基体５１の底板５８に固着された引出しレール５７、５７を介して前方に引き出し自在に収容されている。また、底板５８の上面略中央位置には、揺動板５２を揺動させる揺動手段としての揺動モータ５９が、その回転軸６０（駆動軸）が鉛直上方を向くように固定部材６１を介して取り付けられている。なお、固定部材６１と底板５８との間には、図８に示されるように防振ゴム６２が設けられており、揺動モータ５９の振動の基体５１への伝達が抑制されるようになっている。
【００５０】
図６及び図８に示されるように、回転軸６０の上端には、内部に上下方向を向く貫通路６３が形成された円柱形の偏心軸部材６４が、この貫通路６３内に回転軸６０を嵌挿した状態で、偏心軸部材６４の外周面所定箇所に形成されたネジ孔（図示略）より固定ネジ（図示略）を螺入することにより、回転軸６０に対して相対回転不能に取り付けられている。この貫通路６３は、特に図８に示されるように偏心軸部材６４の中央軸心に対して偏心した位置に形成されているため、偏心軸部材６４の軸心は回転軸６０の軸心に対して偏心することになり、回転軸６０の回転により偏心軸部材６４が偏心回転するようになっている。
【００５１】
回転軸６０における偏心軸部材６４の下方には、ディスク部材６５ａが溶接により一体的に固着されているとともに、このディスク部材６５ａの上面における偏心軸部材６４の偏心方向の反対側所定箇所には、ウェイト部材６５ｂが取り付けられ、これらディスク部材６５ａとウェイト部材６５ｂとによりバランスウェイト６５が構成されており、このバランスウェイト６５により偏心軸部材６４の偏心回転時におけるバランスが保持されるようになっている。
【００５２】
このウェイト部材６５ｂは、特に図示しないがディスク部材６５ａに対してネジ（図示略）により着脱自在に取り付けられているとともに、ディスク部材６５ａにはこのネジのネジ孔（図示略）が複数形成されているため、揺動板５２の揺動時における偏心バランスにずれが生じた場合にウェイト部材６５ｂの取付位置を適宜替えることにより、偏心バランスを調整出来るようになっている。よって、組み付ける揺動板５２の成形精度等が製品ごとに異なっていても、揺動板５２の組み付け後においても偏心バランスを容易に調整出来る。
【００５３】
また、偏心軸部材６４の周面には、自動調心機能を備えるベアリング６６（軸受）が環装されているとともに、このベアリング６６の外周には、揺動板５２の裏面略中央位置にネジ固定される取付リング６７が嵌合されている。このベアリング６６は、特に図１５に示されるように、外輪６６ａと、偏心軸部材６４の上端に環装される内輪６６ｂと、転動体としての複数の球６６ｃと、この球を２列状に整列させた状態で内輪に保持する保持器６６ｄと、から構成される、いわゆる玉軸受である。外輪６６ａにおける軌道面は、ベアリング６６の中心点を中心とした球面状に形成されていることにより、球６６ｃ、保持器６６ｄ、内輪６６ｂが外輪６６ａの軸心に対してある程度傾いた状態でも円滑に回動させる傾動許容機構が構成されているため、このベアリング６６は自動調心性を有している。
【００５４】
平面視矩形状に形成された揺動板５２の裏面四隅には、図６及び図８に示されるように、下端が底板５８の上面四隅に固着された回転規制部材６８の上端が固着されており、この回転規制部材６８により、調心機能を備えるベアリング６６を介して偏心軸部材６４に回転自在に枢着されている揺動板５２が水平状態に保持されるとともに、偏心軸部材６４の回転に追従して揺動板５２が水平方向に回転しようとする運動を牽制するようになっている。
【００５５】
回転規制部材６８は、揺動板５２及び底板５８に取り付けるための上下の取付板６９、６９と、取付板６９、６９にそれぞれ固着される硬質ウレタン等の合成樹脂材からなる変形部材７０、７０と、上下の変形部材７０、７０間を連結する金属材からなる連結棒７１と、からそれぞれ構成されており、揺動板５２の揺動時において上下の変形部材７０、７０が変形することにより揺動板５２の所定範囲内の揺動を許容するとともに、弾性復帰力によって、偏心軸部材６４の回転に追従して揺動板５２が水平方向に回転しようとする運動を牽制する。さらに、この回転規制部材６８を介して揺動板５２と底板５８とが連結されていることになるため、偏心回転時における揺動板５２端部側の上下方向のあばれが抑制され、揺動時におけるパチンコ玉の飛び跳ね等が効果的に抑制される。
【００５６】
このように揺動板５２は、回転軸６０の先端に固着された偏心軸部材６４に対して、自動調心性を有するベアリング６６を介して相対回動自在に枢着されているため、ベアリング６６による調心作用により、揺動板５２に固着された取付リング６７に固着される外輪６６ａに対する偏心軸部材６４に嵌合される内輪６６ｂの傾動、すなわち、外輪６６ａの軸心に対して内輪６６ｂが傾いた状態でも円滑に回動する。
【００５７】
よって、偏心軸部材６４に対する揺動板５２の取付け精度や、揺動板５２上にパチンコパチンコ玉が偏って滞留する等、何らかの要因により、揺動板５２のいずれかの端部側が傾くなどして水平バランスが崩れることにより、外輪６６ａが内輪６６ｂの軸心に対して傾いた状態となって軸心に狂いが生じた場合や、逆に、揺動板５２が水平に敷設された状態において、偏心軸部材６４の加工誤差等により偏心軸部材６４の軸心が回転軸６０の軸心に対して傾いてしまったり、あるいは回転軸６０が外輪６６ａの軸心に対して傾いた状態で揺動モータ５９が固設されること等によって軸心に狂いが生じた場合等にあっても、回転軸６０やベアリング６６に無理な負荷がかかることがないので、揺動時において回転軸６０やベアリング６６から異音が発生すること等がない。また、回転軸６０やベアリング６６に無理な負荷が加わった状態での揺動が長期的に実行されること等により、回転軸６０やベアリング６６が破損して揺動板５２が揺動しなくなるといった事態が回避されるので、揺動板５２の揺動が安定的に行われる。
【００５８】
また、このように本実施例における揺動板５２は、該揺動板５２の下方に配置した揺動モータ５９の回転軸６０に固着された偏心軸部材６４に対して回動自在に枢着することで偏心回動自在に設けられているため、複雑な機構等を用いることなく、揺動板５２を簡単な構造で水平方向に揺動させることが出来る。
【００５９】
揺動板５２の上面全域には、ゴムシート７２が貼着されており、パチンコ玉の清浄時における振動や、パチンコ玉との衝突による騒音等が吸収されるようになっているとともに、揺動板５２の揺動時における上面に敷設されるシート部材Ｓとの滑りが防止されている。そしてこのゴムシート７２の上面には、案内樋２８、２８’から流入するパチンコ玉の表面に付着された汚れを除去する清浄部材としての布製のシート部材Ｓが敷設される。
【００６０】
このシート部材Ｓは、後述するように収納ユニット５３内に収納された新規なシート部材Ｓが揺動板５２上に引き出されて敷設され、使用後は適宜巻取られるようになっている。このシート部材Ｓの材質は、ここでは柔軟性を有するコットン１００％の不織布が使用されている。ここでは、摩耗性に優れるとともに、帯電しにくく、かつ、低発塵性を有する不織布が使用されているため、シートが破損しにくいばかりか、パチンコ玉との摺接による静電気の発生が防止されるとともに、パチンコ玉との摺接や後述する巻取り時における発塵が少ないため、周囲の各装置内への粉塵の進入が防止される。また、本実施例におけるシート部材Ｓの裏面は、揺動板５２の揺動時における揺動板５２への追従作用を損なわない程度の滑動性を有するナイロン樹脂によりコーティングされており、巻取時におけるシート部材Ｓの破損や後述する巻取モータの巻取時にかかる負荷が軽減されるようになっている。
【００６１】
なお、清浄部材としてのシート部材Ｓは、パチンコ玉の表面に付着された汚れを除去し得るものであれば材質は上記のような布製の不織布に限定されるものではなく、例えば織布や、紙等の他の素材からなるシート部材を使用することも可能である。
【００６２】
このように、揺動板５２上にシート部材Ｓが敷設されることで、後述するように揺動板５２が水平方向に高速で偏心回転することにより、シート部材Ｓ上のパチンコ玉が自転してその表面がシート部材Ｓに擦りつけられて清浄されることになる。なお、清浄作用の詳細に関しては後述することとする。
【００６３】
揺動モータ５９の回転軸６０に対して偏心する偏心軸部材６４の軸心周りに回動自在に枢着された揺動板５２は、図８に示されるように、その上面とガイドレール５５の下面との間に、シート部材Ｓを挿通可能な小寸の隙間Ｐが形成されるように、ガイドレール５５よりも若干下方の高さ位置に支持されており、後述するようにその隙間からシート部材Ｓを挿通出来るようになっている。また、揺動板５２における収納ユニット５３のスライド移動方向側の両端部は下方に向けて屈曲されて屈曲部５２ａが形成されており、挿通されるシート部材Ｓがゴムシート７２の上面にスムーズに案内されるようになっている。
【００６４】
ガイドレール５５、５５の上部には前述した枠体５６が載置され、揺動板５２上に流入したパチンコ玉が清浄される清浄領域Ｚが、後述するガイド部材により形成されるようになっている。詳しくは、枠体５６は、図８及び図９に示されるように、下部フレーム５６ａと、この下部フレーム５６ａの一側端に取り付けられた蝶番７５を介して下部フレーム５６ａに対して回動自在に取り付けられた上部フレーム５６ｂと、から構成されている。
【００６５】
下部フレーム５６ａにおける中央領域は開口されており、この開口周縁には、揺動板５２上に流入するパチンコ玉が清浄される遊技媒体清浄領域としての清浄領域Ｚを形成するとともに、揺動板５２からの落下を防止する落下防止部材として機能するガイド部材７３（図１６参照）が取り付けられているとともに、ガイド部材７３におけるパチンコ玉の流出部側の底板７４の上面には、ガイド部材７３により形成されるパチンコ玉の清浄領域Ｚから流出するパチンコ玉を排出樋２６に案内するガイド片７６が設けられている。
【００６６】
ガイド部材７３は、その内周縁が第１ガイド辺としての円弧状ガイド辺７３ａと、円弧状ガイド辺７３ａ所定箇所から流出部１２８方向に向けて延びるように形成される第２ガイド辺としての直線状ガイド辺７３ｂと、パチンコ玉の流出を抑制する流出抑制手段としての規制片７３ｃと、からなるパチンコ玉のガイド辺として形成されており、本実施例においては、後述するように清浄するパチンコ玉を揺動板５２上に滞留させるための平面視略円形状の清浄領域Ｚを形成する。
【００６７】
上部フレーム５６ｂは枠状に構成されており、回動中心と反対側の側辺両端部には、ガイドレール５５上からの逸脱を防止する規制片７７が下向きに連設されているとともに、上部フレーム５６ｂにおける回動中心側の側辺及びその反対側の側辺所定箇所には、揺動板５２上に流入されたパチンコ玉の揺動時における飛びはねを規制するとともに、自重によりパチンコ玉を揺動板５２の上面に敷設されるシート部材Ｓに向けて付勢する付勢部材としての蓋部材７９を保持する内向きに屈曲する略Ｌ字状の保持片７８が設けられている。
【００６８】
本実施例における蓋部材７９は、例えばポリカーボネイト等の透明な樹脂材により、揺動板５２よりも若干大きめの板状に形成されているとともに、前述したように、その自重により揺動板５２上に流入されたパチンコ玉を揺動板５２の上面に敷設されるシート部材Ｓに向けて付勢することによりパチンコ玉とシート部材Ｓとの摺接作用が高まるように所定重量を有している。
【００６９】
蓋部材７９における略中央部近傍所定箇所には、遊技媒体案内路としての案内樋２８、２８’の排出部としての落下口１２７（図１５参照）から落下するパチンコ玉を、揺動板５２上面とこの蓋部材７９下面との間に流入させるための流入口としての開口部８０が形成されている。この開口部８０における内周縁には、揺動板５２に向かうに従い外向きに広がるテーパ面７９ａ（図１５参照）が形成されており、この開口部８０を通過するパチンコ玉が揺動板５２上面に円滑に流入されるようになっているとともに、開口部８０を通過したパチンコ玉が揺動板５２の揺動により移動する方向に向けて下方に傾斜する傾斜片８１ａを有する誘導部材８１が取り付けられており、開口部８０を通過したパチンコ玉が揺動板５２の揺動により移動する方向に向けて円滑に移動するようになっている。また、蓋部材７９における端辺部所定箇所には、保持片７８の基部が嵌合可能な外向きに開放する切欠部１４０が形成されている。
【００７０】
このように構成される蓋部材７９は、図９中２点鎖線で示されるように、上部フレーム５６ｂと下部フレーム５６ａとを開放した状態で、蓋部材７９を上部フレーム５６ｂの保持片７８と上部フレーム５６ｂの突出片８２（図８参照）との間に差し込むようにして上部フレーム５６ｂに取付けられる。この際、切欠部１４０内に保持片７８の基部が嵌合して上部フレーム５６ｂに対する位置ずれが防止されるようになっている。
【００７１】
このように蓋部材７９を取り付けた枠体５６は、図８に示されるように、下部フレーム５６ａ側端辺を断面略Ｌ字状のガイドレール５５、５５の上面にそれぞれ載置するように基体５１の上部に設けられる。この状態で蓋部材７９は、その両端辺部が保持片７８の上面に載置され、その下面が揺動板５２の上面のゴムシート７２の上面からパチンコ玉の直径よりも若干小寸の距離分だけ離間した高さ位置に保持されることになる。そして、蓋部材７９の下面とゴムシート７２の上面との間にパチンコ玉が流入されると、流入したパチンコ玉により蓋部材７９が若干上昇することになり、パチンコ玉が蓋部材７９の自重によりゴムシート７２の上面に敷設されるシート部材Ｓに対して付勢される。また、蓋部材７９の上昇範囲は突出片８２により規制され、揺動板５２が揺動しても蓋部材７９が上下方向に大きくがたつくことがないので、パチンコ玉はシート部材Ｓに向けて効果的に付勢される。
【００７２】
さらに、揺動板５２上に流入したパチンコ玉は、揺動板５２が水平方向に揺動しても、その周囲に設けられるガイド部材７３により揺動板５２からの逸脱が防止されることになる。このようにガイド部材７３は、揺動板５２の揺動に追従しないように設けられているため、揺動板５２の揺動や、後述するようなシート部材Ｓの引出しにより、敷設されたシート部材Ｓが捩れたりめくれるなどして揺動板５２上面が露出することがないため、ガイド部材７３の近傍に位置するパチンコ玉が清浄されなくなることがなく、揺動板５２上の全てのパチンコ玉を偏りなく清浄出来るばかりか、揺動板上に敷設されたシート部材Ｓにより揺動板５２の揺動が規制されることがない。
【００７３】
また、図１１に示されるように、上部フレーム５６ｂの上方には、遊技媒体案内路としての案内樋２８、２８’が設けられている。これら案内樋２８、２８’は、詳しくはそれぞれの上流側端部から下方に屈曲形成された屈曲片２８ａ、２８ａ’が上部フレーム５６ｂにビス止めされるとともに、その下流側所定箇所が蓋部材７９上に荷重が加わらないように支持棒１２６により支持され、また、これら案内樋２８、２８’の対向する端部間に、パチンコ玉を落下させるための落下口１２７が形成されるように設けられており、この落下口１２７の下方に蓋部材７９の開口部８０が配設されている。
【００７４】
このように、揺動板５２上を覆うように付勢部材としての蓋部材７９が設けられても、開口部８０が形成されていることにより蓋部材７９の上方に設けられる案内樋２８、２８’の排出口１２７から落下するパチンコ玉を清浄領域Ｚ内に流入させることが出来る。また、蓋部材７９は、揺動板５２上面の少なくとも一部を開放出来るように設けられているとともに、この蓋部材７９と案内樋２８、２８’とは、枠体５６を介して互いに一体的に設けられており、この枠体５６は、基体５１に対して取り外し自在に設けられているため、後述するシート部材Ｓの交換や装置のメンテナンス等の作業性が効果的に向上するばかりか、排出口１２７と開口部８０との配置関係を変えることなく、基体５１に対して取付けたり取り外したりすることが出来るため、作業性が向上する。
【００７５】
次に、収納ユニット５３の構成を説明する。収納ユニット５３は、前述したように基体５１に対して引き出しレール５７、５７を介して引き出し自在に設けられており、全体は、図６及び図１０に示されるように、中空の芯材８５の外周に多重に巻回されたロール状のシート部材Ｓを収納可能とする上向きに開口する補給部としての補給用箱体８６と、引き出したシート部材Ｓを中空の巻取り用の芯材８３に巻回して収納することが可能な上向きに開口する収納用箱体８４とが、それぞれ基体５１内への収納時において揺動モータ５９の両側に収納されるように、互いに所定距離離間した状態で連結板８７及び底板９０を介して一体化されることにより構成されている。なお、連結板８７の上端には取手８８が形成されているとともに、基体５１内の収納時において基体５１の底板５８上に設けられた磁石８９に金属製の連結板８７が吸着されることにより、収納位置に保持されるようになっている。
【００７６】
収納用箱体８４及び補給用箱体８６における引出し側は、上下方向を向く軸部材９１、９２により一端が軸支された開閉扉９３、９４によりそれぞれ開閉自在に構成されているとともに、開閉扉９３、９４内面には、芯材８３、８５の一端を回転自在に保持する保持体９５、９６が、軸部材９７、９８を介して回転自在に取り付けられている。
【００７７】
収納用箱体８４における開閉扉９３に対向する側板９９には、一端が保持体９５により回転自在に保持される芯材８３の他端を保持する駆動保持体１００が、側板９９に対して回転自在に貫通される軸部材１０１に対して回転不能に取り付けられている。駆動保持体１００の周面所定箇所には、芯材８３の端部に形成された切欠部１０２に挿通して駆動保持体１００に対する芯材８３の回転を規制する係止ピン１０３が突設されている。軸部材１０１の他端側には、収納用箱体８４における側方に固設される引出し手段としての巻取モータ１０４の回転軸１０５の先端に固着された駆動プーリ１０６の回転を、ベルト１０７を介して軸部材１０１に伝達するための従動プーリ１０８が固着されており、巻取モータ１０４が駆動することにより駆動保持体１００及び芯材８３が回転してシート部材Ｓの巻取りが行われ、補給用箱体８６内に収容された新規なシート部材Ｓが所定量ずつ揺動板５２の上面に引き出されるようになっている。
【００７８】
また、収納用箱体８４内底面には、後述するようにシート部材Ｓの交換時期を報知するために用いられる検出スイッチ１０９（図１１参照）が、配設される芯材８３の下方位置に設けられている。具体的には、芯材８３にある程度のシート部材Ｓが巻取られた段階、すなわち、補給用箱体８６内に設けられたシート部材Ｓの残量が少なくなった段階で、芯材８３の外周に巻取られたシート部材Ｓの周面によりスイッチがＯＮとなり、この信号が後述する制御部に出力されて交換時期が報知される。
【００７９】
補給用箱体８６における開閉扉９４に対向する側板１１０には、一端が保持体９６により回転自在に保持される芯材８５の他端を保持するフランジ部１１１ａと、芯材８５内に嵌挿される支持体１１１ｂとからなる保持体１１１が、側板１１０に設けられた軸部材１１２に対して回転自在に取り付けられている。この保持体１１１は、コイルバネ１１３を介して芯材８５を保持体９６方向に向けて付勢されているため、シート部材Ｓの巻取時において芯材８５が回転しにくくなるようになっている。すなわち、保持体９６に回転抵抗を付与するコイルバネ１１３により、巻取時において芯材８５が回転することによりシート部材Ｓが余分に引き出されることにより引き出されたシート部材Ｓに撓みが生じるのが防止されるため、引き出されたシート部材Ｓを張設状態に保持する保持手段が構成されている。
【００８０】
また、これら収納用箱体８４及び補給用箱体８６における互いに対向する側の側板１１４、１１５の上部には、図６及び図１１に示されるようにシート部材Ｓが揺動板５２上に張設されるように案内するガイド片１１６、１１７が設けられている。
【００８１】
ここで、シート部材Ｓを揺動板５２上に敷設する方法を説明する。
【００８２】
まず、図６に示されるように収納ユニット５３を基体５１から引き出した状態で、開閉扉９３、９４を図１０に示されるように開放する。そして巻取用の芯材８３の一端を、切欠部１０２内に係止ピン１０３に係止させて駆動保持体１００に保持した後、開閉扉９３を閉塞して芯材８３の他端側を保持体９５により保持させる。また、外周に新規なシート部材Ｓが多重に巻回された芯材８５の一端を保持体１１１に保持した後、開閉扉９４を閉塞して芯材８５の他端側を保持体９６に保持させる。この状態で補給用箱体８６内のシート部材Ｓの一端を所定長さ引出して両ガイド片１１６、１１７の上部間に架設した後、例えば接着テープ等により芯材８３に接着する。
【００８３】
そして図７に示されるような状態にシート部材Ｓをセットした後、収納ユニット５３を基体５１側に押し込む。この時、図８に示されるように、両ガイド片１１６、１１７間に水平状態に張設されたシート部材Ｓは、基体５１のガイドレール５５の下面と揺動板５２のゴムシート７２の上面との間に形成された隙間Ｐを挿通して揺動板５２のゴムシート７２の上面に敷設される。
【００８４】
このように、基体５１に収納されたシート部材Ｓを収納する収納ユニット５３が外方に引出し自在設けられ、補給用箱体８６や収納用箱体８４が基体５１の外部に引き出せるように構成されていることにより、使用済みのシート部材Ｓの取り出し、及び新規なシート部材Ｓの補給作業を容易に行えるばかりか、図１のように遊技島台１’内に設置した際、装置全体を移動することなく、収納ユニット５３のみを遊技島台１の外方に引出して交換作業等を行えるため、作業性が向上する。
【００８５】
なお、図８に示されるように、基体５１の底板５８の底面には、防振ゴム１１８が取り付けられているとともに、このように構成される清浄装置５０は、遊技島台１内に露呈する床面上に直接接地されているため、揺動板５２の揺動により発生する振動の遊技島台１内に伝達されるのが防止されるようになっている。
【００８６】
次に、本実施例の清浄装置５０の揺動板５２を水平回動させる揺動手段としての揺動モータ５９、及びシート部材Ｓの引出し手段としての巻取モータ１０４の駆動制御内容を説明する。
【００８７】
まず図１２のブロック図に示されるように、清浄装置５０には、制御ユニット１２３が連結板８７に設けられており（図５〜図７参照）、この制御ユニット１２３内に設けられる図示しない制御手段としての制御装置には、前述した揺動モータ５９、巻取モータ１０４、検出スイッチ１０９が接続されているとともに、シート部材Ｓを交換した際に押圧する交換検出手段としてのリセットスイッチ１１９が接続されている。さらに、図１１に示されるように、中継樋２４、２４’内を流下するパチンコ玉を検出する検出センサ１２０、１２１がそれぞれ接続されているとともに、清浄装置５０にて清浄されて排出樋２６を介して揚送装置２５に排出されるパチンコ玉を検出する検出センサ１２２が接続されている。
【００８８】
制御ユニット１２３内の制御装置は、後述する制御プログラムに基づいて、各検出センサ１２０〜１２２からのパチンコ玉の検出状況に応じて揺動モータ５９を駆動してパチンコ玉の清浄を実施するとともに、揺動モータ５９の総駆動時間に基づいて巻取モータ１０４を駆動して、シート部材Ｓの引出しを実施するようになっている。また、この制御ユニット１２３は、通信部１２４及び該通信部１２４に接続される通信ケーブル１２５を介して、図示しない遊技島台１内に設けられる図示しない制御装置に接続されており、該制御装置と信号の授受を実施出来るようになっている。前記遊技島台１内の制御装置は、遊技島台１内に設けられる各種装置（例えば揚送装置２５やシャッタ２２）や上部タンク３や下部タンク９、９’内に設けられる各種検出センサ（図示略）に接続されているとともに、制御ユニット１２３から出力されたエラー信号（シート部材Ｓの交換報知や故障等）等を、通信ケーブル１２５を介して接続された管理コンピュータ（図示略）等に送信するようになっている。なお、制御ユニット１２３からシート部材Ｓの交換報知や故障等を示す旨のエラー信号等が出力された場合、前記管理コンピュータの表示画面にエラー内容が表示されたり、遊技島台１の端部に設けられる代表ランプ等が点灯してエラーが報知される。
【００８９】
本実施例における巻取モータ１０４は、揺動モータ５９が予め定められた時間（例えば２分）駆動した時点で、予め定められた一定の長さ（例えば３ｍｍ）のシート部材Ｓが揺動板５２上に引き出されるように駆動されるように制御ユニット１２３内の制御装置により制御される。この制御装置は、巻取モータ１０４による巻取りを繰り返し実施するにしたがい、芯材８３の外周に巻回されるシート部材Ｓの厚みが増加するため、図１３に示されるように、１回のシート部材Ｓの巻取り時における回転軸１０５の回転量を、巻取り総実施回数が所定回数に達した時点（例えば１回で３ｍｍの巻取り１２５回を実施する毎に）で少量ずつ減少させることにより、各巻取りの実施時に常に一定の長さ（３ｍｍ）のシート部材Ｓが揺動板５２上に引き出されるように制御している。
【００９０】
なお、本実施例においては、前記制御装置は、１回のシート部材Ｓの巻取り時における回転軸１０５の回転量を制御することにより、各巻取りの実施時に常に一定の長さのシート部材Ｓが揺動板５２上に引き出されるようにしているが、例えば１回のシート部材Ｓの巻取り時における回転軸１０５の駆動時間を、巻取り総実施回数が所定回数に達した時点（例えば１回で３ｍｍの巻取り１２５回を実施する毎に）で少量ずつ減少させることにより、各巻取りの実施時に常に一定の長さ（３ｍｍ）のシート部材Ｓが揺動板５２上に引き出されるように制御するようにしてもよく、すなわち、前記制御装置により、前記巻取モータ１０４における回転軸１０５の回転量や駆動時間等の動作量が制御されることにより、各巻取りの実施時に常に一定の長さのシート部材Ｓが揺動板５２上に引き出されるようになっていればよい。
【００９１】
また、補給用箱体８６内の芯材８５の外周に巻回された新規なシート部材Ｓが全て引き出されて新規なシート部材Ｓが巻回された芯材８５に交換した際には、清浄装置５０の所定箇所に設けられるリセットスイッチ１１９（図１２参照）を押圧操作することで、上記巻取モータ１０４の駆動制御内容が一旦リセットされ、再び図１３に示されるような駆動制御が実施されるようになっている。なお、このリセットスイッチ１１９の押圧操作は使用者が操作するようになっているが、例えば芯材８５を補給用箱体８６から取り外すことで自動的にリセットスイッチがＯＮとなって巻取り制御内容がリセットされるようにしてもよい。
【００９２】
また、芯材８３の外周に所定量のシート部材Ｓが巻回された場合、すなわち、補給用箱体８６内に設けられたシート部材Ｓの残量が少なくなった段階で、芯材８３の外周に巻取られたシート部材Ｓの周面により検出スイッチ１０９が押圧されてＯＮとなり、この信号が制御ユニット１２３内の制御装置に出力され、さらに通信部１２４を介して外部の管理コンピュータに出力されるため、シート部材Ｓの交換時期が近づいたことが報知されるようになっている。
【００９３】
なお、本実施例における制御ユニット１２３内の制御装置は、このシート部材Ｓの交換報知が出力された後においても清浄装置５０を停止することなく駆動させるようになっているが、例えばその時点から巻取モータ１０４の回転軸１０５の総回転量を監視するようにし、前記報知された時点からの巻取モータ１０４の回転軸１０５の回転量が、予め定められた回転量に達した時点までの間にリセットスイッチ１１９からの信号が検出されない場合、揺動モータ５９の駆動を停止するようにしてもよい。なお、この時点において、シート部材Ｓの交換がなされないことにより揺動モータ５９の駆動が停止された旨を示すエラー信号を外部に出力するようにしてもよい。
【００９４】
次いで、図１４のフローチャートに基づいて、揺動モータ５９の駆動制御内容を説明する。
【００９５】
まず、Ｓａ１では、揺動モータ５９が駆動中であるか否かを判定する。揺動モータ５９が駆動中でないと判定した場合には、Ｓａ２において検出センサ１２０からの検出信号の出力があるか、すなわち、中継樋２４’において検出センサ１２０の位置までパチンコ玉が充満しているか否かを判定し、検出信号の出力があると判定した場合、すなわち検出センサ１２０の位置までパチンコ玉が充満していると判定した場合には、Ｓａ４においてタイマ１がカウント中であるか否かを判定し、ここでタイマ１がカウント中で無いと判定した場合、すなわちタイマ１がクリアされている状態では、Ｓａ５においてタイマ１のカウントを開始する。
【００９６】
また、Ｓａ２において検出センサ１２０からの検出信号の出力がないと判定した場合、すなわち、検出センサ１２０までパチンコ玉が充満していない場合には、Ｓａ３においてカウント中のタイマ１のカウントをクリアする。
【００９７】
次に、Ｓａ６において検出センサ１２１からの検出信号の出力があるか、すなわち検出センサ１２１の位置までパチンコ玉が充満しているか否かを判定し、検出信号の出力があると判定した場合、すなわち検出センサ１２１の位置までパチンコ玉が充満していると判定した場合には、Ｓａ８においてタイマ２がカウント中であるか否かを判定し、ここでタイマ２がカウント中で無いと判定した場合、すなわちタイマ２がクリアされている状態では、Ｓａ９においてタイマ２のカウントを開始する。
【００９８】
また、Ｓａ６において検出センサ１２１からの検出信号の出力がないと判定した場合、すなわち、検出センサ１２１までパチンコ玉が充満していない場合には、Ｓａ７においてカウント中のタイマ２のカウントをクリアする。
【００９９】
次いで、Ｓａ１０において、検出センサ１２０または検出センサ１２１からの検出信号の出力が１０秒以上連続して出力されたか否かを判定し、１０秒以上連続して検出信号が出力されたと判定した場合には、揺動モータ５９を駆動し（Ｓａ１１）、全てのタイマをクリアして（Ｓａ１２）、また、Ｓａ１０において検出センサ１２０または検出センサ１２１からの検出信号の出力が１０秒以上連続して検出信号が出力されないと判定した場合には、そのまま処理を終了する。
【０１００】
次に、Ｓａ１の判定において、揺動モータ５９が駆動中であると判定した場合には、Ｓａ１３において検出センサ１２０からの検出信号の出力があるか、すなわち検出センサ１２０の位置までパチンコ玉が充満しているか否かを判定し、検出信号の出力がないと判定した場合、すなわち検出センサ１２０の位置までパチンコ玉が充満していないと判定した場合には、Ｓａ１５においてタイマ１がカウント中であるか否かを判定し、ここでタイマ１のカウント中で無いと判定した場合、すなわちタイマ１がクリアされている状態では、Ｓａ１６においてタイマ１のカウントを開始する。
【０１０１】
また、Ｓａ１３において検出センサ１２０からの検出信号の出力があると判定した場合、すなわち、検出センサ１２０までパチンコ玉が充満している場合には、Ｓａ１４においてカウント中のタイマ１のカウントをクリアする。
【０１０２】
次に、Ｓａ１７において検出センサ１２１からの検出信号の出力があるか、すなわち検出センサ１２１の位置までパチンコ玉が充満しているか否かを判定し、検出信号の出力がないと判定した場合、すなわち検出センサ１２１の位置までパチンコ玉が充満していないと判定した場合には、Ｓａ１９においてタイマ２がカウント中であるか否かを判定し、ここでタイマ２のカウント中で無いと判定した場合、すなわちタイマ２がクリアされている状況では、Ｓａ２０においてタイマ２のカウントを開始する。
【０１０３】
また、Ｓａ１７において検出センサ１２１からの検出信号の出力があると判定した場合、すなわち、検出センサ１２１までパチンコ玉が充満している場合には、Ｓａ１８においてカウント中のタイマ２のカウントをクリアする。
【０１０４】
次に、Ｓａ２１において検出センサ１２２からの検出信号の出力があるか、すなわち、揚送装置２５においてパチンコ玉の揚送が行われていないなどで、検出センサ１２２の位置までパチンコ玉が充満しているか否かを判定し、検出信号の出力があると判定した場合、すなわち検出センサ１２２の位置までパチンコ玉が充満していると判定した場合には、Ｓａ２３においてタイマ３がカウント中であるか否かを判定し、ここでタイマ３のカウント中で無いと判定した場合、すなわちタイマ３がクリアされている状態では、Ｓａ２４においてタイマ３のカウントを開始する。
【０１０５】
また、Ｓａ２１において検出センサ１２２からの検出信号の出力がないと判定した場合、すなわち、検出センサ１２２までパチンコ玉が充満していない場合には、Ｓａ２２においてカウント中のタイマ３のカウントをクリアする。
【０１０６】
次に、Ｓａ２５において検出センサ１２０または検出センサ１２１からの検出信号の出力がない状態が１０秒以上連続したかを判定し、１０秒以上連続して信号が検出されていないと判定した場合には、Ｓａ２６において検出センサ１２２からの検出信号の出力が６０秒以上連続して出力されたか否かを判定し、６０秒以上連続して信号が出力されていない場合には、そのまま処理を終了し、Ｓａ２５において検出センサ１２０または検出センサ１２１からの検出信号の出力がない状態が１０秒以上連続したと判定した場合と、Ｓａ２６において検出センサ１２２からの検出信号が６０秒以上連続して出力されたと判定した場合には、Ｓａ２７において揺動モータ５９の駆動を停止し、Ｓａ２８において全てのタイマをクリアし、処理を終了するようになっている。
【０１０７】
このように本実施例においては、図１中向かって左右側の少なくともいずれか一方の合流部１８、１８’から中継樋２４、２４’、案内樋２８、２８’を流下してきたパチンコ玉が、図１１に示されるように開口部８０を介して揺動板５２の上部に次々に流入し、少なくともいずれか一方の案内樋２８、２８’、中継樋２４、２４’、内にパチンコ玉が滞留した状態が検出センサ１２０または１２１により検出されると、揺動モータ５９が駆動してパチンコ玉の清浄が実施されるように制御されているため、揺動板５２上にパチンコ玉が流入していないにも関わらず揺動モータ５９が無駄に駆動することがない。
【０１０８】
また、揺動板５２上から排出されたパチンコ玉を揚送装置２５に導く排出樋２６内にパチンコ玉が滞留した状態が検出センサ１２２により検出されると、揺動モータ５９が駆動している場合は駆動を停止してパチンコ玉の清浄の実施が停止されるように制御されているため、例えば上部タンク３内にパチンコ玉が所定量以上貯留されている等の要因によりパチンコ玉を揚送する必要がない場合や、あるいは何らかの故障等何らかの要因で揚送装置２５が駆動していない状態でパチンコ玉の清浄を実施して玉詰まりが発生した場合等において、揺動モータ５９の駆動が継続されることがないので、効率よくパチンコ玉の清浄が実施される。
【０１０９】
次に、図１５、図１６に基づいて、清浄装置５０によるパチンコ玉の清浄作用を説明する。
【０１１０】
遊技島台１内を循環して、合流部１８、１８’から遊技媒体案内路を構成する案内樋２８、２８’内を流下してきたパチンコ玉は、案内樋２８、２８’の対向端部間に形成される排出部としての落下口１２７から落下し、開口部８０を通過して揺動板５２と蓋部材７９との間に流入することになる。
【０１１１】
ここで揺動モータ５９が駆動して揺動板５２が揺動すると、図１５に示されるように、揺動板５２は、前述のように揺動モータ５９の回転軸６０に対して偏心する偏心軸部材６４の上端に固着されたベアリング６６の外輪６６ａに対して相対回転不能に固定された取付リング６７に取り付けられているため、揺動モータ５９を駆動させて回転軸６０が高速回転されると偏心軸部材６４が偏心回転し、それに伴い揺動板５２が水平方向に偏心回転して揺動されることになる。この揺動板５２の偏心回動に伴い、シート部材Ｓの上面に流入した各パチンコ玉が自転してその表面がシート部材Ｓに対して擦り付けられることになり、パチンコ玉の表面に付着した汚れやゴミ等がシート部材Ｓに拭い取られて清浄されることになる。
【０１１２】
特に本実施例における揺動板５２は、揺動モータ５９の駆動により偏心回動することにより水平方向に揺動するようになっていることにより、揺動板５２が揺動することにより清浄領域Ｚ内のパチンコ玉が多方向に回転し、より複雑な動きをすることになるので、パチンコ玉の表面全域がまんべんなくシート部材Ｓに摺接して効果的に清浄される。
【０１１３】
そして平面視略細長矩形状に形成された揺動板５２の下面四隅は、回転規制部材６８を介して基体５１の底板５８に連結されているため、偏心回転に伴い偏心軸部材６４周りに回転することがないばかりか、揺動板５２の端部に生じる上下方向のあばれが抑制され、揺動板５２が円滑に、かつ安定して水平揺動されるようになっている。
【０１１４】
さらに、揺動板５２上に位置するパチンコ玉は、付勢部材としての蓋部材７９によりシート部材Ｓに付勢されることにより、揺動板５２の揺動時における飛び跳ね等が防止されるばかりか、シート部材Ｓに確実に擦り付けられることになるので、清浄作用が効果的に高まる。
【０１１５】
また、蓋部材７９により付勢されるパチンコ玉によりシート部材Ｓがゴムシート７２に圧接されるため、揺動板５２の水平揺動がシート部材Ｓに効果的に伝達されて清浄作用が高まるばかりか、揺動により生じる接触音等が抑制される。
【０１１６】
そして、開口部８０を通過して揺動板５２と蓋部材７９との間に、清浄領域Ｚの中央部から若干外方にずれた所定箇所から流入したパチンコ玉は、揺動板５２の偏心回動により自転しながら清浄されつつ、ガイド部材７３により揺動板５２上に形成された清浄領域Ｚ内を、図１６に示されるように、揺動モータ５９の回転軸６０の回転方向と逆方向に向けて渦巻くように外方に移動しながら清浄領域Ｚ内を周回（約２〜３周）した後に、ガイド部材７３の規制片７３ｃにより形成された流出部１２８から底板７４上を通過して排出樋２６に流出することになる。
【０１１７】
このように、本実施例における清浄装置５０にあっては、揺動板５２上に形成された平面視略円形状の清浄領域Ｚの中央部から若干外方にずれた所定箇所にパチンコ玉を流入させる遊技媒体案内路としての案内樋２８、２８’が設けられているとともに、揺動板５２上から流出する流出部１２８が、揺動板５２の外周部所定箇所、すなわち、清浄領域Ｚの外周部所定箇所に形成されていることにより、少なくとも清浄領域Ｚの外周部近傍位置からパチンコ玉を流入させた場合に比べて、揺動板５２の偏心回動によりパチンコ玉が該偏心回動方向と逆回りに渦巻くように外方に移動しながら、揺動板５２上をより多く周回するようになるため、清浄領域Ｚ内に流入したパチンコ玉が清浄領域Ｚ内に長く滞留することなく短時間で流出部１２８から流出してしまうことがないので、パチンコ玉の清浄効果が著しく向上する。
【０１１８】
また、例えば従来公知の揚送研磨装置のように、パチンコ玉を揚送させる間にパチンコ玉を研磨させる場合に比べて清浄距離が短くなって清浄効果が著しく低減することがなく、パチンコ玉を清浄する清浄領域Ｚを広面積に設けなくても、限られた領域内において効率よく清浄することが出来る。
【０１１９】
また、流入するパチンコ玉により滞留領域Ｚ内のパチンコ玉が流出部１２８方向に押圧されても、流出抑制手段としてのガイド部材７３の規制片７３ｃにより流出部１２８からのパチンコ玉の流出が抑制されることにより、清浄が不十分なまま清浄領域Ｚ内からパチンコ玉が流出してしまうことが防止される。なお、例えばこの規制片７３ｃの先端に、流出部１２８に対して進退自在な伸縮片等を設け、流出部１２８からのパチンコ玉の流出量を適宜調整出来るようにしてもよい。
【０１２０】
また、本実施例における清浄装置５０にあっては、清浄領域Ｚ内中央のパチンコ玉が滞留することがないように、揺動板５２上に形成された平面視略円形状の清浄領域Ｚの中央部から若干外方にずれた所定箇所にパチンコ玉が流入するように遊技媒体案内路としての案内樋２８、２８’が設けられていたが、清浄領域Ｚの中央部にパチンコ玉が流入するように案内樋２８、２８’が設けられていてもよい。
【０１２１】
また、本実施例における清浄装置５０にあっては、遊技媒体案内路としての２つの案内樋２８、２８’が設けられているため、遊技島台１内における清浄装置５０の長手方向両端側に貯留されているパチンコ玉を、これら２つの案内樋２８、２８’により、清浄領域Ｚ内における略中央部までそれぞれ別々に案内することが出来るとともに、清浄領域Ｚ内における略中央部に対してパチンコ玉を多方向から効率よく流入させ、パチンコ玉の清浄領域Ｚ内への流入効率を高めることが出来、ひいてはパチンコ玉の清浄効率が効果的に高まる。また、このように複数の遊技媒体案内路を設けることで、１台の清浄装置５０で遊技島台１内に貯留されるパチンコ玉を効率よく清浄することが出来る。
【０１２２】
なお、本実施例における遊技媒体案内路は２つの案内樋２８、２８’により構成されていたが、パチンコ玉の清浄領域Ｚ内への流入効率をより高めるために２つ以上の複数の案内樋にて構成されてもよいし、また、１つの案内樋にて構成されていてもよい。
【０１２３】
また、揺動板５２上に流入したパチンコ玉が所定面積の清浄領域Ｚ内を渦巻くように外方に移動しながら周回することにより清浄されるため、限られたスペース内においてパチンコ玉を効率よく清浄することが出来る。
【０１２４】
また、平面視円形状の清浄領域Ｚを形成するガイド部材７３のガイド辺は、第１ガイド辺としての円弧状ガイド辺７３ａと、第２ガイド辺としての直線状ガイド辺７３ｂとからなるパチンコ玉のガイド辺が形成されているため、円弧状ガイド辺７３ａにより清浄領域Ｚ内全体のパチンコ玉が渦巻く方向にスムーズに移動して清浄領域Ｚ内に適宜滞留し続けるように案内されるとともに、中央部に流入された後に次第に円弧状ガイド辺７３ａ近傍に移動してきたパチンコ玉が直線状ガイド辺７３ｂにより流出部１２８から流出するように案内されるため、清浄領域Ｚ内所定箇所に滞留し続けたり、揺動板５２上を必要以上に周回し続けることを効果的に回避できる。
【０１２５】
さらにこのガイド部材７３は、揺動板５２の偏心回動移動に追従しないように設けられているため、清浄領域Ｚ内のパチンコ玉を安定的に移動させることが出来るとともに、ガイド部材７３に形成された遊技媒体清浄領域内の遊技媒体は、流入する遊技媒体により押圧されることで遊技媒体流出部から流出するため、遊技媒体を遊技媒体流出部に向けて強制的に排出させる機構等を設ける必要がないとともに、流入する遊技媒体により遊技媒体流出部方向に押圧されても、流出抑制手段により遊技媒体の遊技媒体流出部からの流出が抑制されることで、遊技媒体清浄領域内において十分に清浄されることになるため、清浄作用が効果的に高まる。
【０１２６】
次に、図１７〜図１９には、本発明の他の実施形態が示されている。図１７は、本発明の他の実施例としての遊技島台１’’の内部構造を示す断面図であり、図１８は、図１７の遊技島台１’’の要部の内部構造を示す平面図であり、図１９は、図１７の遊技島台１’’に適用される他の実施例としての清浄装置５０’’がそれぞれ示されている。なお、図１７〜図１９に示される遊技島台１’’、清浄装置５０’’において上記実施形態における遊技島台１、清浄装置５０と同様の構成部位等には同様の符号を付すことでここでの詳細な説明は省略するものとするとともに、主要となる構成部位に関しては、同様の符号に「’’」を付しているものとする。
【０１２７】
本実施形態においては、例えば図１９に示されるように、清浄領域Ｚ内にパチンコ玉を流入させるための遊技媒体案内路としての案内樋２８、２８’等を有しない清浄装置５０’’が遊技島台１’’内所定箇所に配置されるとともに、図１８に示されるように、遊技島台１’’側に設けられた中継樋２４’’、２４’’’が前記清浄装置５０’’まで延長されて遊技媒体案内路として構成され、これら中継樋２４’’、２４’’’の下流側端部から落下するパチンコ玉が、蓋部材７９に形成された開口部８０を通過して清浄領域Ｚ内における中央部近傍に排出されるようになっている。また、清浄装置５０’’において清浄された後に流出したパチンコ玉をパチンコ機２に補給する排出樋２６’’、揚送装置２５’’、上部タンク３’’、供給樋４’’、支流樋５’’等が遊技媒体補給路として構成されている。
【０１２８】
このように、前述した実施形態においては、遊技島台１内を循環するパチンコ玉を清浄領域Ｚ内の略中央部に案内する遊技媒体案内路としての案内樋２８、２８’が清浄装置５０の上部に設けられていたが、本発明にあっては、本実施形態のように遊技媒体案内路が遊技島台１’’に備えられた中継樋２４’’、２４’’’等により構成されていてもよく、このようにしても前述の実施形態にて記載した作用・効果が得られる。
【０１２９】
また、このように本実施例における遊技島台１’’にあっては、遊技媒体案内路としての２つの中継樋２４’’、２４’’’を備えているため、遊技島台１’’内における清浄装置５０’’の長手方向両端側に貯留されているパチンコ玉を、これら２つ中継樋２４’’、２４’’’により、清浄領域Ｚ内における略中央部までそれぞれ別々に案内することが出来るとともに、清浄領域Ｚ内における略中央部に対してパチンコ玉を多方向から効率よく排出させ、パチンコ玉の清浄領域Ｚ内への流入効率を高めることが出来、ひいてはパチンコ玉の清浄効率が効果的に高まる。また、このように複数の遊技媒体案内路を備えることで、１台の清浄装置５０’’で遊技島台１’’内に貯留されるパチンコ玉を効率よく清浄することが出来る。
【０１３０】
なお、本実施例における遊技媒体案内路は２つの中継樋２４’’、２４’’’により構成されていたが、パチンコ玉の清浄領域Ｚ内への流入効率をより高めるために２つ以上の複数の樋にて構成されてもよいし、また、１つの樋にて構成されていてもよい。
【０１３１】
また、図２０には、図１に示される遊技島台１の変形例としての遊技島台１’’’が示されている。この遊技島台１’’’は、揚送装置２５及び該揚送装置２５により揚送されるパチンコ玉を貯留する上部タンク３が長手方向の一端側に配設されている。上記実施形態において説明した遊技媒体案内路としての案内樋（図示略）を備える清浄装置５０は、図１に示されるように揚送装置２５や上部タンク３等が遊技島台内における長手方向略中央部に設けられた遊技島台１だけでなく、このように揚送装置２５や上部タンク３等が長手方向端部側に配設された遊技島台１’’’等にも適用可能であり、特に遊技島台の構成は限定されるものではない。また、この遊技島台１’’’内における揚送装置２５の近傍に清浄装置５０を配設する場合には、詳細な図示はしないが、遊技島台１’’’内に貯留されたパチンコ玉を清浄装置５０の清浄領域内における略中央部に案内する遊技媒体案内路（案内樋）は片側のみに設けられていればよい。
【０１３２】
また、前述したように遊技島台内に貯留されたパチンコ玉を遊技島台内に配設した清浄装置の清浄領域内における略中央部に案内する遊技媒体案内路を備える遊技島台においても、揚送装置や上部タンク等の配設位置等は図１７にて示したものに限定されるものではなく、例えば揚送装置や上部タンクを遊技島台における長手方向一端部側に配設して図２０の遊技島台１’’’のように構成した場合等においては、遊技島台１’’’側に備えられた中継樋２４を、遊技媒体案内路を有しない清浄装置における清浄領域の略中央部まで延設して遊技媒体案内路とし、遊技島台１’’’内に貯留されたパチンコ玉が清浄装置の清浄領域内における略中央部に案内されるように構成すればよい。
【０１３３】
前記各実施例における各要素は、本発明に対して以下のように対応している。
【０１３４】
本発明の請求項１は、遊技機（パチンコ機２）が設置される遊技島台（１、１’’’）内に設置され、該遊技島台内に貯留される遊技媒体（パチンコ玉）の表面を清浄する清浄部材（シート部材Ｓ）が上面に敷設された揺動板（５２）を揺動手段（揺動モータ５９）により水平方向に揺動させることにより、前記揺動板上に形成される遊技媒体清浄領域（Ｚ）内の前記遊技媒体と前記清浄部材とが摺接して前記遊技媒体が清浄されるとともに、該遊技媒体が前記遊技媒体清浄領域の外周部に設けられる遊技媒体流出部（１２８）から流出するように構成される遊技媒体清浄装置（清浄装置５０）であって、前記遊技島台内に貯留される前記遊技媒体を、前記遊技媒体清浄領域内における略中央部に流入するように案内する遊技媒体案内路（案内樋２８、２８’）と、前記遊技島台内に設置され、前記揺動板が揺動自在に設けられる基体（５１）と、前記基体に対して外方に引き出し自在に収納される収納ユニット（５３）と、を備え、前記収納ユニットは、前記清浄部材を前記揺動板の上面よりも上方の所定高さ位置に張設した状態で保持するための張設保持手段（ガイド片１１６，１１７／コイルバネ１１３／保持体１１１）を有し、前記収納ユニットを前記基体から外方に引き出して前記清浄部材を前記張設保持手段により張設した状態で保持させた後、該収納ユニットを前記基体に押し込んで収納することで、前記張設保持手段により張設保持された清浄部材が前記揺動板上に敷設される。
【０１３５】
本発明の請求項２は、遊技機（パチンコ機２）が設置される遊技島台（１’’）であって、該遊技島台内に貯留される遊技媒体（パチンコ玉）の表面を清浄する清浄部材（シート部材Ｓ）が上面に敷設された揺動板（５２）を揺動手段（揺動モータ５９）により水平方向に揺動させることにより、前記揺動板上に形成される遊技媒体清浄領域（Ｚ）内の前記遊技媒体と前記清浄部材とが摺接して前記遊技媒体が清浄されるとともに、該遊技媒体が前記遊技媒体清浄領域の外周部に設けられる遊技媒体流出部（１２８）から流出するように構成されている遊技媒体清浄装置（清浄装置５０’’）と、前記遊技島台内に貯留される前記遊技媒体を、前記遊技媒体清浄領域における略中央部に排出するように案内する遊技媒体案内路（中継樋２４’’、２４’’’）と、前記遊技媒体流出部から流出する前記遊技媒体を、前記遊技機に補給する遊技媒体補給路（排出樋２６’’、揚送装置２５’’、上部タンク３’’、供給樋４’’、支流樋５’’）と、を少なくとも備え、前記遊技媒体清浄装置は、前記遊技島台内に設置され、前記揺動板が揺動自在に設けられる基体（５１）と、前記基体に対して外方に引き出し自在に収納される収納ユニット（５３）と、を備え、前記収納ユニットは、前記清浄部材を前記揺動板の上面よりも上方の所定高さ位置に張設した状態で保持するための張設保持手段（ガイド片１１６，１１７／コイルバネ１１３／保持体１１１）を有し、前記収納ユニットを前記基体から外方に引き出して前記清浄部材を前記張設保持手段により張設した状態で保持させた後、該収納ユニットを前記基体に押し込んで収納することで、前記張設保持手段により張設保持された清浄部材が前記揺動板上に敷設される。
【０１３８】
本発明の請求項３は、前記遊技媒体清浄領域（Ｚ）は、前記揺動板（５２）の揺動に追従しないように設けられるガイド部材（７３）により構成されており、該ガイド部材におけるガイド辺は少なくとも、略円弧状の第１ガイド辺（７３ａ）と、該第１ガイド辺から前記遊技媒体流出部（１２８）に向けて延設される略直線状の第２ガイド辺（７３ｂ）と、から形成されている。
【０１３９】
本発明の請求項４は、前記揺動手段が駆動モータ（揺動モータ５９）からなり、該駆動モータの駆動軸（回転軸６０）には、該駆動軸に対して偏心する偏心軸部材（６４）が固着されており、該偏心軸部材に対して前記揺動板が回動自在に枢着されている。
【０１４１】
本発明の請求項５は、前記遊技媒体清浄領域（Ｚ）内の前記遊技媒体（パチンコ玉）を前記清浄部材（シート部材Ｓ）に向けて付勢する付勢部材（蓋部材７９）を備える。
【０１４５】
本発明の請求項６は、前記遊技媒体清浄装置（清浄装置５０、５０’）は、前記揺動板（５２）上に新規な清浄部材（シート部材Ｓ）を引き出す引出し手段（巻取モータ１０４）を備えるとともに、前記遊技媒体（パチンコ玉）の前記揺動板上からの落下を防止する落下防止部材（ガイド部材７３）が、前記揺動板の揺動に追従しないように設けられている。
【０１４６】
本発明の請求項７は、前記遊技媒体清浄装置（清浄装置５０、５０’’）は、新規な清浄部材（シート部材Ｓ）を補給する補給部（補給用箱体８６）を備えており、前記張設保持手段（ガイド片１１６，１１７／コイルバネ１１３／保持体１１１）は、前記引出し手段（巻取モータ１０４）により前記補給部から前記揺動板（５２）上に引き出された新規な清浄部材を張設保持する。
【０１４７】
本発明の請求項８は、前記引出し手段が、前記清浄部材（シート部材Ｓ）をロール状に巻取る巻取り装置（巻取モータ１０４、芯材８３）であり、前記遊技媒体清浄装置（清浄装置５０、５０’’）は、前記補給部（補給用箱体８６）内に補給される前記清浄部材が交換された旨を検出する交換検出手段（リセットスイッチ１１９）と、該交換検出手段による前記清浄部材の交換が検出されてからの前記巻取り装置による前記清浄部材の巻取り動作量に応じて前記巻取り装置の駆動量を制御する制御手段（制御ユニット１２３内の制御装置）と、を備える。
【０１４８】
本発明の請求項９は、前記付勢部材（蓋部材７９）には、前記遊技媒体案内路（案内樋２８、２８’、中継樋２４’’、２４’’’）からの遊技媒体を該付勢部材の下面側に通過させる開口部（８０）が形成され、前記付勢部材と前記遊技媒体案内路とは、前記基体（５１）に対して取り外し自在に設けられた枠体（５６）を介して互いに一体的に設けられている。
本発明の請求項１０は、前記枠体（５６）は、前記基体（５１）の上部に設けられる下部フレーム（５６ａ）と、該下部フレームに対して一側辺を中心に回動自在に枢着された上部フレーム（５６ｂ）と、からなり、前記下部フレームには、前記遊技媒体清浄領域（Ｚ）を形成するガイド部材（７３）が前記揺動板（５２）の揺動に追従しないように設けられ、前記上部フレームには、前記遊技媒体案内路（案内樋２８、２８’、中継樋２４’’、２４’’’）及び前記付勢部材（蓋部材７９）が設けられている。
【０１４９】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【０１５０】
例えば、本実施例における揺動板５２は、揺動モータ５９の回転軸６０に固着された偏心軸部材６４に対して回動自在に枢着されて、揺動モータ５９の駆動により偏心回動することにより水平方向に揺動するようになっていたが、本発明においては、揺動板５２が水平方向に揺動するようになっていれば、必ずしも偏心回動により水平方向に揺動するものに限定されるものではない。
【０１５１】
また、上記実施例における清浄装置５０、５０’’は、遊技島台１内における揚送装置２５に流入するパチンコ玉を清浄する箇所に配設されていたが、遊技島台１内における配置位置は記載した箇所に限定されるものではなく、例えば上部タンク３から流出してパチンコ機２に供給されるまでの間の供給樋４の所定箇所等に設けてもよく、任意に変更可能である。さらに、遊技島台内に配設する遊技媒体清浄装置の数量は、上記実施形態にて説明したように１台に限定されるものではなく、例えば上記遊技島台１、１’’内における揚送装置２５、２５’’の両側にそれぞれ１台ずつ配設する等、複数台の清浄装置を配設してもよい。
【０１５２】
また、上記実施例における遊技媒体流出部としての流出部１２８は、清浄領域Ｚ外周部における所定箇所に１箇所のみ設けられていたが、複数箇所に設けてもよい。
【０１５３】
また、揺動板５２上に形成される遊技媒体清浄領域としての清浄領域Ｚは、揺動板５２上であれば、必ずしも揺動板５２上全域に形成されていなくてもよい。
【０１５４】
また、本発明請求項中に記載の「遊技媒体」は、上記実施例における球状のパチンコ玉に対応しているが、特にこれに限定されるものではなく、例えば遊技機としてのスロットマシン等に使用されるメダル等であってもよい。
【０１５５】
また、本発明請求項中に記載の「遊技島台内に貯留される遊技媒体」とは、上記実施例における遊技島台内にある全ての遊技媒体を示しており、例えば上記各実施例においては、下部タンク９、９’内に貯留されているパチンコ玉のみならず、パチンコ玉を循環させる各樋内に貯留されているパチンコ玉や各樋内を移動する全てのパチンコ玉が対象となる。
【０１５６】
【発明の効果】
本発明は次の効果を奏する。
【０１５７】
（ａ）請求項１の発明によれば、遊技媒体案内路により案内されて揺動板上に形成される遊技媒体清浄領域内における略中央部に流入した遊技媒体は、揺動板が水平方向に揺動することにより自転して清浄部材に摺接されながら、遊技媒体清浄領域内を渦巻くように外方に移動しながら周回した後に遊技媒体流出部から流出するため、限られた遊技媒体清浄領域内において遊技媒体が十分に清浄されることになり、遊技媒体の清浄効果が著しく高まる。また、遊技島台内に装置を設置した際、装置全体を移動することなく、収納ユニットのみを外方に引出した状態で清浄部材の交換作業等を行えるため、作業性が向上する。
【０１５８】
（ｂ）請求項２の発明によれば、遊技媒体案内路により案内されて揺動板上に形成される遊技媒体清浄領域内における略中央部に排出された遊技媒体は、揺動板が水平方向に揺動することにより自転して清浄部材に摺接されながら、遊技媒体清浄領域内を渦巻くように外方に移動しながら周回した後に遊技媒体流出部から流出し、遊技媒体補給路により遊技機に補給されるため、限られた遊技媒体清浄領域内において遊技媒体が十分に清浄されることになり、遊技媒体の清浄効果が著しく高まる。また、遊技島台内に装置を設置した際、装置全体を移動することなく、収納ユニットのみを外方に引出した状態で清浄部材の交換作業等を行えるため、作業性が向上する。
【０１６１】
（ｃ）請求項３の発明によれば、遊技媒体清浄領域内の遊技媒体は、第１ガイド部により案内されてスムーズに周回するようになるとともに、第１ガイド部材の近傍まで移動してきた遊技媒体は、第１ガイド部材に沿うように移動したまま第２ガイド部に案内されて遊技媒体流出部から流出するようになるため、遊技媒体清浄領域内を必要以上に周回し続けることがない。
【０１６２】
（ｄ）請求項４の発明によれば、揺動板を簡単な構造で水平方向に揺動させることが出来るばかりか、揺動板を偏心回動により揺動させることで、遊技媒体が複雑に回転することになるため、遊技媒体の表面全域をまんべんなく清浄することが出来る。
【０１６４】
（ｅ）請求項５の発明によれば、遊技媒体が清浄部材に強く押し付けられるため、清浄効果が向上する。
【０１６８】
（ｆ）請求項６の発明によれば、落下防止部材が揺動板の揺動に追従して揺動することがないので、揺動板の揺動や清浄部材の引出しにより、敷設された清浄部材が捩れたりめくれるなどして揺動板上面が露出することがないため、落下防止部材近傍に位置する遊技媒体が清浄されなくなることがなく、清浄領域内の遊技媒体を偏りなく清浄出来るばかりか、引出し手段により揺動板上に引出された清浄部材により揺動板の揺動が規制されることがない。
【０１６９】
（ｇ）請求項７の発明によれば、引出し手段により揺動板上に引き出された清浄部材に撓みや捩れが生じにくくなるので、清浄作用が向上するばかりか、引出し手段による清浄部材の引出しに支障をきたすことがない。
【０１７０】
（ｈ）請求項８の発明によれば、巻取り装置による清浄部材の巻取り量に関わらず、清浄部材を常に一定量づつ引き出すことが出来る。
【０１７１】
（ｉ）請求項９及び１０の発明によれば、清浄部材の交換や装置のメンテナンス等の作業性が効果的に向上する。
【図面の簡単な説明】
【図１】本発明の実施例としての清浄装置が適用された遊技島台の内部構造を示す断面図である。
【図２】図１のＡ−Ａ断面図である。
【図３】図１の遊技島台の要部の内部構造を示す平面図である。
【図４】図１の遊技島台に適用された揚送装置の内部構造を示す断面図である。
【図５】清浄装置を示す外観斜視図ある。
【図６】同じく清浄装置を示す外観斜視図である。
【図７】同じく清浄装置を示す外観斜視図。
【図８】図５のＢ−Ｂ断面図である。
【図９】枠体の構造を示す概略斜視図である。
【図１０】収納ユニットを示す平面図である。
【図１１】シート部材の巻取り状況を示す概略断面図である。
【図１２】清浄装置の構成を示すブロック図である。
【図１３】巻取モータの回転軸の回転量制御を示す図である。
【図１４】揺動モータの制御内容を示すフローチャートである。
【図１５】揺動板上へのパチンコ玉の流入状況及び揺動状態を示す要部拡大断面図である。
【図１６】揺動板の揺動時におけるパチンコ玉の移動状態を示す概略平面図である。
【図１７】本発明の他の実施例としての遊技島台の内部構造を示す断面図である。
【図１８】図１７の遊技島台の要部の内部構造を示す平面図である。
【図１９】図１７の遊技島台に適用される他の実施例としての清浄装置の外観を示す斜視図である。
【図２０】図１の遊技島台の変形例としての遊技島台の内部構造を示す断面図である。
【符号の説明】
１、１’’、１’’’    遊技島台
２                  パチンコ機
３、３’’            上部タンク
４、４’’            供給樋
５、５’’            支流樋
６                  玉タンク
７                  玉抜き管
８                  アウト玉タンク
９、９’            下部タンク
９ａ                側板
１０、１０’        下部樋
１１                開口
１２                オーバーフロー樋
１３                繕板
１４                開口
１５                計数装置
１５ａ              玉投入口
１６                排出路
１７、１７’        側部樋
１８、１８’        合流部
１９                開口
２０                仕切板
２１                排出口
２２                シャッタ
２３、２３’        連通口
２４、２４’        中継樋
２４’’、２４’’’      中継樋
２５、２５’’        揚送装置
２６、２６’’        排出樋
２７                バイパス樋
２８                案内樋
２８ａ              屈曲片
２９ａ、２９ｂ      連通口
３０                箱体
３１                駆動歯車
３２                従動回転体
３３                バケット
３４                タイミングベルト
３５                駆動モータ
３６                リベット
３７                流入口
３８                排出口
３９                移動体
４０                レバー
４１                長孔
４２                ネジ
４３                引っ張りバネ
４４                回転軸
４５                ローラ
５０、５０’’        清浄装置
５１                基体
５２                揺動板
５２ａ              屈曲部
５３                収納ユニット
５４                側板
５５                ガイドレール
５６                枠体
５６ａ              下部フレーム
５６ｂ              上部フレーム
５７                引出しレール
５８                底板
５９                揺動モータ
６０                回転軸
６１                固定部材
６２                防振ゴム
６３                貫通路
６４                偏心軸部材
６５                バランスウェイト
６５ａ              ディスク部材
６５ｂ              ウェイト部材
６６                ベアリング
６６ａ              外輪
６６ｂ              内輪
６６ｃ              パチンコ玉
６６ｄ              保持器
６７                リング部材
６７                取付リング
６８                回転規制部材
６９                取付板
７０                変形部材
７１                連結棒
７２                ゴムシート
７３                ガイド部材
７３ａ              円弧状ガイド部
７３ｂ              直線状ガイド部
７４                底板
７５                蝶番
７６                ガイド片
７７                規制片
７８                保持片
７９                蓋部材
７９ａ              テーパ面
８０                開口部
８１                誘導部材
８１ａ              傾斜片
８２                突出片
８３                芯材
８４                収納用箱体
８５                芯材
８６                補給用箱体
８７                連結板
８８                取手
８９                磁石
９０                底板
９１                軸部材
９３                開閉扉
９４                開閉扉
９５                保持体
９６                保持体
９７                軸部材
９９                側板
１００              駆動保持体
１０１              軸部材
１０２              係止ピン
１０２              切欠部
１０３              係止ピン
１０４              巻取モータ
１０５              回転軸
１０６              駆動プーリ
１０７              ベルト
１０８              従動プーリ
１０９              検出スイッチ
１１０              側板
１１１              保持体
１１１ａ            フランジ部
１１１ｂ            支持体
１１２              軸部材
１１３              コイルバネ
１１４              側板
１１６              ガイド片
１１８              防振ゴム
１１９              リセットスイッチ
１２０〜１２２      検出センサ
１２３              制御ユニット
１２４              通信部
１２５              通信ケーブル
１２６              支持棒
１２７              落下口
１２８              流出部
１３３              制御ユニット
１４０              切欠部
Ｍ                  溝部
Ｐ                  隙間
Ｓ                  シート部材
Ｚ                  清浄領域
【図１】
0004201112.tif 000002
【図２】
0004201112.tif 000003
【図３】
0004201112.tif 000004
【図４】
0004201112.tif 000005
【図５】
0004201112.tif 000006
【図６】
0004201112.tif 000007
【図７】
0004201112.tif 000008
【図８】
0004201112.tif 000009
【図９】
0004201112.tif 000010
【図１０】
0004201112.tif 000011
【図１１】
0004201112.tif 000012
【図１２】
0004201112.tif 000013
【図１３】
0004201112.tif 000014
【図１４】
0004201112.tif 000015
【図１５】
0004201112.tif 000016
【図１６】
0004201112.tif 000017
【図１７】
0004201112.tif 000018
【図１８】
0004201112.tif 000019
【図１９】
0004201112.tif 000020
【図２０】
0004201112.tif 000021